(57)【要約】      （修正有）【課題】カバーの外カバーが上向きに起こされて、内カバーがクーラーの排気口を遮蔽する時、内カバーの背面に設置された静電空気フィルタネット及び活性炭空気フィルタネットが、空気中の有害な微小過敏原及び異臭を排除し、空気品質を確保し、人体の健康を維持する空気濾過カバーの提供。【解決手段】内カバーの背面に粘着帯が設けられ、該粘着帯が静電空気フィルタネットと活性炭空気フィルタネットの粘着帯と粘着され、外カバーが上に起こされる時、内カバーの背面の静電空気フィルタネットと活性炭空気フィルタネットが空気中の有害な微小アレルギー原と異臭を排除する空気濾過カバーとしている。【選択図】図１
0003109071.tif 000002
【実用新案登録請求の範囲】
【請求項１】
外カバー、内カバー、静電空気フィルタネット、活性炭空気フィルタネットで構成された空気濾過カバーであり、該外カバーと内カバーが一体に結合され、内カバーが粘着帯でクーラー、空気清浄機、或いは除湿器に固定され、該内カバーがクーラー、空気清浄機、或いは除湿器の排気口に当接するよう設置される、上記空気濾過カバーにおいて、
該内カバーの背面に粘着帯が設けられ、該粘着帯が静電空気フィルタネットと活性炭空気フィルタネットの粘着帯と粘着され、外カバーが上に起こされる時、内カバーの背面の静電空気フィルタネットと活性炭空気フィルタネットが空気中の有害な微小アレルギー原と異臭を排除することを特徴とする、空気濾過カバー。
【請求項２】
請求項１記載の空気濾過カバーにおいて、内カバーの背面に係止帯が縫い付けられ、係止帯に係止具が設けられ、該係止帯が静電空気フィルタネットと活性炭空気フィルタネットの穿孔に通され、係止具により静電空気フィルタネット及び活性炭空気フィルタネットが固定されることを特徴とする、空気濾過カバー。
【考案の詳細な説明】
【技術分野】
【０００１】
本考案は一種の空気濾過カバーに係り、特に、防塵と美化作用を有するカバーであり、空気濾過装置とされる時は、カバーの外カバーが起こされて、外カバー内側に縫い付けられた内カバーに取り付けられた静電空気フィルタネット及び活性炭空気フィルタネットが、空気中の微小な刺激性のアレルギー原を除去し、空気品質を維持する、空気濾過カバーに関する。
【背景技術】
【０００２】
専門家の報告によると、室内空気の汚染程度は室外の数十倍にもなる。室内空気中には、肉眼で見えない煙塵、カビ菌、花粉、毛屑等の刺激性のアレルギー原が充満し、１０μｍより小さい微粒子は、人体の濾過システムを通過して肺部に到達しやすく、小児ぜんそく、アレルギー性鼻炎、気管支炎を引き起こす主要な原因となり、また、常時家族の健康を脅かす。空気汚染は成人と子供のいずれに関しても急性呼吸疾病感染の確率を増す。そのうち子供は比較的厳重である。子供の肺部は成長段階にあり、加えて呼吸道が狭く、吸入する空気と体重の間の比例が比較的大きく、成人に較べて疾病に感染しやすく、空気汚染は更に死亡の危機を引き起こし得る。ほとんどの家庭の居住環境には、ダニ、ゴキブリ等の排泄物や動物の毛屑等のアレルギー原があり、台湾人口の約１０％は空気に対してアレルギーで、子供のアレルギー比率はアジア第１である。我々の吸入する空気は１立方メートル内に百万を超過する微粒子を有し、そのうち９９％は１μｍより小さく、１０μｍより小さい浮遊粒子を、人体の呼吸システムは隔離できず、人体肺部に進入し集積すると健康に危害を及ぼす。そのうち、０．１μｍから５μｍの粒子が肺部に対して構成する損害は最大であり、このような粒子にはタバコの煙、細菌及び灰塵が含まれる。
【０００３】
一般に市販されている空気フィルタには静電空気フィルタ或いは活性炭静電空気フィルタ等、多くの種類がある。そのほとんどは静電空気フィルタネットを直接クーラー、空気清浄機、或いは除湿器の入気口のフィルタネットに接合して空気濾過の効果を達成する。しかし、上述の空気フィルタネットには以下のような欠点がある。
１．一台のクーラー、空気清浄機、或いは除湿器には一種類の機能のフィルタネットしか貼り付けられず、二種類以上の機能のフィルタネットを同時に貼り付けることはできず、その濾過効果は一種類しか維持できない。
２．空気フィルタネットはクーラー、空気清浄機、或いは除湿器のフィルタネットに貼り付けられ、ゆえに防塵と美化の機能を具備できない。
３．一般のクーラー、空気清浄機、或いは除湿器を冬に使用しない時、機台に灰塵が付着しないように、消費者はプラスチック布或いは紙板で機台の上を遮蔽するが、外観が悪く、且つ夏に使用する時、プラスチック布或いは紙板を取り外さねば使用できず、面倒である。
【０００４】
ゆえに、本考案は新型の空気濾過カバーを提供し、周知の製品の欠点を排除する。
【考案の開示】
【考案が解決しようとする課題】
【０００５】
ゆえに、本考案の主要な目的は、一種の空気濾過カバーを提供することにあり、それは、クーラー、空気清浄機、或いは除湿器のカバーとされ、平時には防塵、環境美化の機能を有し、クーラー、空気清浄機、或いは除湿器が使用される時は、該カバーの外カバーを起こせば、空気中の煙塵、カビ菌、花粉、毛屑等の刺激性アレルギー原を排除することができ、新鮮な空気品質を維持し、人体の健康を確保できるものとする。
【０００６】
本考案のもう一つの目的は、一種の空気濾過カバーを提供することにあり、それは、カバーの内カバーに静電空気フィルタネットと活性炭空気フィルタネットが設置され、大きな粉塵や花粉等の大きな顆粒灰塵を除去できるほか、アレルギー及び花粉症を引き起こす微小なアレルギー原及び異臭も排除できるものとする。
【課題を解決するための手段】
【０００７】
請求項１の考案は、外カバー、内カバー、静電空気フィルタネット、活性炭空気フィルタネットで構成された空気濾過カバーであり、該外カバーと内カバーが一体に結合され、内カバーが粘着帯でクーラー、空気清浄機、或いは除湿器に固定され、該内カバーがクーラー、空気清浄機、或いは除湿器の排気口に当接するよう設置される、上記空気濾過カバーにおいて、
該内カバーの背面に粘着帯が設けられ、該粘着帯が静電空気フィルタネットと活性炭空気フィルタネットの粘着帯と粘着され、外カバーが上に起こされる時、内カバーの背面の静電空気フィルタネットと活性炭空気フィルタネットが空気中の有害な微小アレルギー原と異臭を排除することを特徴とする、空気濾過カバーとしている。
請求項２の考案は、請求項１記載の空気濾過カバーにおいて、内カバーの背面に係止帯が縫い付けられ、係止帯に係止具が設けられ、該係止帯が静電空気フィルタネットと活性炭空気フィルタネットの穿孔に通され、係止具により静電空気フィルタネット及び活性炭空気フィルタネットが固定されることを特徴とする、空気濾過カバーとしている。
【考案の効果】
【０００８】
本考案の空気濾過カバーは、防塵と居住環境美化の機能を有するカバーであり、外カバーを起こす時、内カバー背面の静電空気フィルタネットと活性炭空気フィルタネットが有害な微小アレルギー原を二重に排除し、微小粒子が人体の濾過システムを通過して肺部に到るのを防止し、身体の健康を確保する。ゆえに本考案の実用性は明らかである。
【考案を実施するための最良の形態】
【０００９】
図１から図３に示されるように、本考案の空気濾過カバーは、外カバー１、内カバー２、静電空気フィルタネット３及び活性炭空気フィルタネット４が組み合わされてなる。そのうち、長條状の外カバー１は、布質のカバーとされ、外カバー１の上端に内カバー２が縫い付けられ、外カバー１と内カバー２接続され一体とされ、該内カバー２は複数の孔を具えて通気性が良好なレース材質とされ、空気が内カバー２を通過するものとされる。
【００１０】
更に内カバー２の上端内側に長條状の粘着帯２１が縫い付けられ、一般のクーラーＡ（或いは空気清浄機、或いは除湿器）の台の適宜位置に先に粘着帯（図示せず）が貼り付けられ、内カバー２の粘着帯２１がクーラーＡの粘着帯と相互に粘着され、これにより空気濾過カバーがクーラーＡの前端に固定され（図４）、防塵機能と美観を有するカバーを形成する。外カバー１の前端の前カバー部分は上向きに起こすことができ、内カバー２がクーラーＡの入気口を遮蔽する。
【００１１】
図２及び図３に示されるように、内カバー２の背面中間には二つの粘着帯２２、２３が縫い付けられ、静電空気フィルタネット３と活性炭空気フィルタネット４の上端にも粘着帯３１、４１が設けられ、内カバー２の二つの粘着帯２２、２３が静電空気フィルタネット３と活性炭空気フィルタネット４の粘着帯３１、４１と粘着され、これにより内カバー２に静電空気フィルタネット３と活性炭空気フィルタネット４が取り付けられる。そのうち静電空気フィルタネット３及び活性炭空気フィルタネット４はいずれも肉眼では見えない煙塵、カビ菌、花粉、毛屑及びダニ等の刺激性アレルギー原を除去でき、活性炭空気フィルタネット４は更に異臭を除去でき、これにより空気品質を確保して人体の健康を維持できる。
【００１２】
図５に示されるように、内カバー２の背面中間には複数の係止帯２４が縫い付けられ、係止帯２４に係止具２４１が設置され、該係止帯２４が静電空気フィルタネット３と活性炭空気フィルタネット４の穿孔３２、４２に通され、さらに係止具２４１で係止される。
【００１３】
以上の実施例は本考案の実施範囲を限定するものではなく、以上の説明及び図面の記載に基づきなし得る細部の修飾或いは改変は、いずれも本考案の請求範囲に属するものとする。
【図面の簡単な説明】
【００１４】
【図１】本考案の外観構造図である。
【図２】本考案の後面の分解図である。
【図３】本考案の後面の組合せ図である。
【図４】本考案の使用状態の参考図である。
【図５】本考案の実施例図である。
【符号の説明】
【００１５】
１  外カバー        ２  内カバー          ２１、２２、２３  粘着帯
２４  係止帯        ２４１  係止具    ３  静電空気フィルタネット
４  活性炭空気フィルタネット          ３１、４１  粘着帯
３２、４２  穿孔                      Ａ  クーラー
【図１】
0003109071.tif 000003
【図２】
0003109071.tif 000004
【図３】
0003109071.tif 000005
【図４】
0003109071.tif 000006
【図５】
0003109071.tif 000007